(57)【特許請求の範囲】
【請求項１】
表面に起伏の形成された複数種類のプレキャストコンクリート製のフロアユニットが組み合わされて地表に配設され、隣り合うフロアユニットの間にゴム系或いは合成樹脂系のパッキングを挟み、ボルトナットでフロアユニット同士が固着されてなることを特徴とする路上スポーツ用のコンクリートフロア。
【請求項２】
フロアユニットが環状に敷設されたことを特徴とする請求項１記載の路上スポーツ用のコンクリートフロア。
【請求項３】
フロアユニットが面状に敷設されたことを特徴とする請求項１記載の路上スポーツ用のコンクリートフロア。
【請求項４】
フロアユニットの表面に発光体が埋設されたことを特徴とする請求項１又は請求項２又は請求項３記載の路上スポーツ用のコンクリートフロア。
【請求項５】
コーナー部に敷設されるフロアユニットにバンクが形成されたことを特徴とする請求項２記載の路上スポーツ用のコンクリートフロア。
【請求項６】
フロアユニットの表面に緩衝材が張設されたことを特徴とする請求項１又は請求項２又は請求項３又は請求項４又は請求項５記載の路上スポーツ用のコンクリートフロア。
【発明の詳細な説明】
【０００１】
【発明の属する技術分野】
本発明は、主としてＢＭＸ（モトクロス自転車）、一輪車、インラインスケート、スケートボードなどの路上スポーツの競技或いは練習に用いられる路上スポーツ用のコンクリートフロアに関する。
【０００２】
【従来の技術】
一般には、路上スポーツ用のフロアを作るには、地表を整地し、その上にコンクリートを打って凹凸を形成するか、地表に盛り土をして凹凸を形成するなどの方法で施工されていた。
【０００３】
【発明が解決しようとする課題】
しかしながら上記の如き施工方法に於いては、寸法精度が容易に得られず、施工に手間がかかるという問題があった。
【０００４】
そこで本発明者は従来の欠点に鑑み鋭意研究の結果、施工が容易で、寸法精度の高い路上スポーツ用のコンクリートフロアを提供するものである。
【０００５】
【課題を解決するための手段】
本発明請求項１記載の路上スポーツ用のコンクリートフロアは、表面に起伏の形成された複数種類のプレキャストコンクリート製のフロアユニットが組み合わされて地表に配設され、隣り合うフロアユニットの間にゴム系或いは合成樹脂系のパッキングを挟み、ボルトナットでフロアユニット同士が固着されてなるもので、好適な形状の凹凸が精度よく得られる。又、地表にフロアユニットを配設するだけで施工が容易である。
【０００６】
本発明請求項２記載の路上スポーツ用のコンクリートフロアは、フロアユニットが環状に敷設されたもので、周回競技や周回練習に用いられる。
【０００７】
本発明請求項３記載の路上スポーツ用のコンクリートフロアは、フロアユニットが面状に敷設されたもので、自由走行競技や自由走行練習に用いられる。
【０００８】
本発明請求項４記載の路上スポーツ用のコンクリートフロアは、フロアユニットの表面に発光体が埋設されたもので、発光体の発光が走行の目安とされる。本発明に於ける発光体とは自発光素子を示すもので、耐久性に優れるＬＥＤ等が好適に用いられる。
【０００９】
本発明請求項５記載の路上スポーツ用のコンクリートフロアは、コーナー部に敷設されるフロアユニットにバンクが形成されたもので、コーナリング時プレイヤーがコースアウトしにくい。
【００１０】
本発明請求項６記載の路上スポーツ用のコンクリートフロアは、フロアユニットの表面に緩衝材が張設されたもので、プレイヤーが転倒したときなどけがをし難い。
【００１１】
【発明の実施の形態】
以下、図面を参照しながら本発明に付いて説明する。
図１は本発明コンクリートフロアの実施形態の一例を示す平面図である。
１はフロアユニットであり、地表に環状に敷設されてコンクリートフロアとなされている。このフロアユニット１として緩勾配ユニット１１、中勾配ユニット１２、急勾配ユニット１３、低段フラットユニット１４、高段フラットユニット１５、コーナーユニット１６の６種類のフロアユニット１が用いられている。環状に敷設されたフロアユニット１は直線部に於いては、緩勾配ユニット１１、中勾配ユニット１２、急勾配ユニット１３と低段フラットユニット１４、高段フラットユニット１５を組み合わせて、コンクリートフロアに起伏が形成されている。又、直線部と直線部を直角に結合するコーナー部にはコーナーユニット１６が配設されている。
【００１２】
緩勾配ユニット１１、中勾配ユニット１２、急勾配ユニット１３は一縁部が高くこの縁部に相対する縁部が低くなされ、緩やかな曲面を形成する短辺が１ｍ、長辺が２ｍの平面視矩形の板状体となされている。
【００１３】
低段フラットユニット１４、高段フラットユニット１５は表面平坦な短辺が１ｍ、長辺が２ｍの平面視矩形の板状体で、前記勾配ユニットの縁部の高さに等しい高さとなされている。
【００１４】
コーナーユニット１６は隣り合うフロアユニット１の互いの端面が直交するようにフロアユニット１を結合するようになされたもので、平面視四半円弧状となされている。又、外周円弧部が内周円弧部より高くなされバンクが形成されている。この例ではコーナーユニットはバンクの形成される例を示したが、特にバンクが形成されなくてもよい。
【００１５】
フロアユニット１はプレキャストコンクリート製となされ、その表面はコンクリートのままでもよいが、合成樹脂シートやゴムシートなどの緩衝材が貼設されればプレイヤーが転倒したときなどけがをし難く安全である。又、フロアユニット１の表面にＬＥＤ２などの自発光素子が埋め込まれれば、走行時の目安となり好適である。フロアユニット１は裏面が平面となるようにコンクリートを注型して製せられてもよいが、裏面の縁部を残して肉厚を減ずれば軽量化されより施工性が向上する。
【００１６】
図２は本発明コンクリートフロアの実施形態の他の例を示す斜視図である。この例ではフロアユニット１は地表の全面に亘って敷設されてコンクリートフロアとなされている。この例ではコンクリートフロアの全面に亘って起伏が形成され、自由走行ができるようになされている。
【００１７】
この例に於けるフロアユニット１は四辺の辺長が２ｍの平面視矩形で、一角部が相対する角部より高くなされ、この角を頂点に四半球状の起伏が形成されている。又、最も低い部分には排水のために水抜き孔３が設けられている。
【００１８】
フロアユニット１の敷設は地表に敷き並べるだけでもよいが、隣り合うフロアユニット１の間にゴム系或いは合成樹脂系のパッキングを挟み、ボルトナットでフロアユニット同志が固着されればずれにくくより好適なフロアとなる。
【００１９】
【発明の効果】
上述の如く、本発明請求項１記載の路上スポーツ用のコンクリートフロアは、表面に起伏の形成された複数種類のプレキャストコンクリート製のフロアユニットが組み合わされて地表に配設され、隣り合うフロアユニットの間にゴム系或いは合成樹脂系のパッキングを挟み、ボルトナットでフロアユニット同士が固着されてなるもので、好適な形状の凹凸が精度よく得られる。又、地表にフロアユニットを配設するだけで施工が容易である。
【００２０】
又、本発明請求項２記載の路上スポーツ用のコンクリートフロアは、フロアユニットが環状に敷設されたもので、周回競技や周回練習に用いられる。
【００２１】
又、本発明請求項３記載の路上スポーツ用のコンクリートフロアは、フロアユニットが面状に敷設されたもので、自由走行競技や自由走行練習に用いられる。
【００２２】
又、本発明請求項４記載の路上スポーツ用のコンクリートフロアは、フロアユニットの表面に発光体が埋設されたもので、発光体の発光が走行の目安とされる。
【００２３】
又、本発明請求項５記載の路上スポーツ用のコンクリートフロアは、コーナー部に敷設されるフロアユニットにバンクが形成されたもので、コーナリング時プレイヤーがコースアウトしにくい。
【００２４】
又、本発明請求項６記載の路上スポーツ用のコンクリートフロアはフロアユニットの表面に緩衝材が張設されたもので、プレイヤーが転倒したときにけがをし難い。
【図面の簡単な説明】
【図１】  本発明コンクリートフロアの実施形態の一例を示す（イ）は平面図であり、（ロ）は側面図である。
【図２】  本発明コンクリートフロアの実施形態の他の例を示す斜視図である。
【図３】  本発明コンクリートフロアに於けるフロアユニットの例を示す斜視図である。
【符号の説明】
１    フロアユニット
１１  緩勾配ユニット
１２  中勾配ユニット
１３  急勾配ユニット
１４  低段フラットユニット
１５  高段フラットユニット
１６  コーナーユニット
２    ＬＥＤ
３    水抜き孔
【図１】
0004041234.tif 000002
【図２】
0004041234.tif 000003
【図３】
0004041234.tif 000004